(57)【要約】【課題】ねじ締め用の工具を左右いずれの方向からも挿入保持でき、切り替え機構を必要とせずにいずれの方向においてもラチェット動作のできる簡便構造の両頭式ラチェット工具を提供する。【解決手段】両頭式ラチェット工具１のギヤホルダ２はその内部の中央にマグネット７を嵌着するものからなり、ギヤホルダ２を先端に固持したギヤホルダ保持板３，３内のラチェット機構部４はビッド１３の左右の入れ替えによっていずれの回転方向に対しても動作できる。これにより、ねじ締めやねじ外しがラチェット動作を伴ってできる。【選択図】図３
0003112542.tif 000002
【実用新案登録請求の範囲】
【請求項１】
ねじ締め用工具の基端側の軸部が挿着される挿入孔を有し外周にラチェット用の刻み爪を形成してなるギヤホルダと、該ギヤホルダを先端部に固持し並設される一対の板材からなるギヤホルダ保持板と、該ギヤホルダ保持板の内部に収納され前記ギヤホルダをラチェット動作させるためのラチェット機構部とを有するラチェット工具であって、該工具は、前記ギヤホルダが、前記軸部の嵌り込む貫通孔を形成し外周に前記刻み爪を形成するホルダ部と、前記貫通孔のほぼ中央に固着されるマグネットとを有するものからなることを特徴とする両頭式ラチェット工具。
【請求項２】
前記ホルダ部が、分割式のものからなり、互いに自由回転を拘束されるものからなることを特徴とする請求項１に記載の両頭式ラチェット工具。
【考案の詳細な説明】
【技術分野】
【０００１】
本考案は、ビッドのようなねじ締め用の工具を保持すると共にラチェット機構部を有するラチェット工具に係り、特に、前記ねじ締め用工具が左右のいずれの側からも挿入できて左廻り及び右廻りの双方にラチェット動作の可能な両頭式ラチェット工具に関する。
【背景技術】
【０００２】
ねじ締め用の工具として、例えば、ビッドがある。このビッドは、例えば、図６に示すようにラチェット工具１ａの先端に挿着されて使用される。このラチェット工具１ａは、並設される２枚のギヤホルダ保持板３ａ，３ａと、この先端に固持されるギヤホルダ２ａと、ギヤホルダ保持板３ａ，３ａの内部に収納されるラチェット機構部４ａ等とからなる。このギヤホルダ２ａは図示のように筒体からなり、その一端部にマグネット７ａを固着するものからなり、前記筒体の内部に形成される孔（角孔）にビッド１３を挿入し、ビッド１３の挿入端をマグネット７ａに磁着させてビッド１３を保持するものからなる。
また、ねじ締め用のラチェット工具としては、例えば、「特許文献１」の如きものがある。
【特許文献１】特開平１１−３３３７４０号（図１）
【考案の開示】
【考案が解決しようとする課題】
【０００３】
図６に示したラチェット工具１ａや「特許文献１」に示す「ラチェットドライバ」の場合は、ビッド１３は一方向のみからしか挿着されず、ラチェット機構部４ａによるラチェット動作も一方向に限定される問題点がある。一方、ねじはねじ締めされると共に取り外しすることが必要であり、ねじ締め時に右回転し左回転方向にラチェット動作があるラチェット工具ではそのままの状態でねじの取り外しをラチェット動作を伴って行うことができない。そのため、ラチェット機構部に左右の切替え機構を設ける必要があり、その分、構造が複雑となり高価なものとなる。
【０００４】
本考案は、以上の事情に鑑みて考案されたものであり、簡単の構造で左右いずれの方向にもラチェット動作の可能な両頭式ラチェット工具を提供することを目的とする。
【課題を解決するための手段】
【０００５】
本考案は、以上の目的を達成するために、請求項１の考案は、ねじ締め用工具の基端側の軸部が挿着される挿入孔を有し外周にラチェット用の刻み爪を形成してなるギヤホルダと、該ギヤホルダを先端部に固持し並設される一対の板材からなるギヤホルダ保持板と、該ギヤホルダ保持板の内部に収納され前記ギヤホルダをラチェット動作させるためのラチェット機構部とを有するラチェット工具であって、該工具は、前記ギヤホルダが、前記軸部の嵌り込む貫通孔を形成し外周に前記刻み爪を形成するホルダ部と、前記貫通孔のほぼ中央に固着されるマグネットとを有するものからなることを特徴とする。
【０００６】
また、請求項２の考案は、前記ホルダ部が、分割式のものからなり、互いに自由回転を拘束されるものからなることを特徴とする。
【考案の効果】
【０００７】
本考案の請求項１の両頭式ラチェット工具によれば、本考案のラチェット工具のギヤホルダには左右のいずれの方向からもねじ締め用の工具（例えば、ビッド）が挿入されて保持されるため、ラチェット機構部が切替え機構のない簡単な構造のものであっても左右いずれの方向にラチェット動作を伴った回転ができ、ねじ締め及びねじ外し動作が極めて効率的に行われ、かつ安価に実施することができる。
【０００８】
また、本考案の請求項２の両頭式ラチェット工具によれば、ホルダ部が分割式のものからなり、マグネットの交換が極めて容易にでき、本体を長時間使用することができ、省資源化が図れる。
【考案を実施するための最良の形態】
【０００９】
以下、本考案の両頭式ラチェット工具の実施の形態を図面を参照して詳述する。
まず、図４及び図５により本考案の両頭式ラチェット工具の全体構成を説明する。両頭式ラチェット工具１は、大別してギヤホルダ２と、ギヤホルダ保持板３と、ラチェット機構部４等とからなる。ギヤホルダ２については後に詳しく説明するが、筒体からなり、中央フランジ部の外周にラチェット用の刻み爪９を形成するものからなる。
【００１０】
ギヤホルダ保持板３は並設される２枚の板材からなり、その先端にはギヤホルダ２が固持される。なお、ギヤホルダ保持板３は刻み爪９を双方の板材で挾み込んだ状態で並設される。
【００１１】
ラチェット機構部４は、ギヤホルダ２の刻み爪９に先端側を係着し後端側にクロー受けを形成しギヤホルダ保持板３にその中間部を枢支されるクロー１０と、先端部をクロー１０の前記クロー受けに当接しギヤホルダ保持板３に固持されるプレート１１と、クロー１０の前記クロー受けとプレート１１との間に架設されるスプリング１２等とからなる。
【００１２】
以上の構造により、ギヤホルダ保持板３を把持してギヤホルダ２を廻すことにより、ラチェット動作を伴ったねじ締めが可能になる。
【００１３】
次に、本考案の主要構成部材であるギヤホルダ２の詳細構造を図１，図２により説明する。なお、本実施例では分割式のものについて説明するが勿論、これに限定するものではない。
【００１４】
ギヤホルダ２は同一形状のホルダ５，５を組み合わせた筒状のものからなる。このホルダ５は大径のフランジ部５ａとフランジ部５ａに一体的に連結してフランジ部５ａから伸延する円筒部５ｂとからなり、その内部にはねじ締めされる工具の軸部の形状に対応する貫通孔６が形成される。また、貫通孔６のフランジ部５ａ側の開口部にはマグネット７の嵌着されるリング溝８が凹設される。
【００１５】
図１及び図２に示すように、ギヤホルダ２は前記の構造のホルダ５をそのフランジ部５ａを互いに当接させた状態で組み付けたものからなり、フランジ部５ａ，５ａの外周にはラチェツト用の刻み爪９が形成される。なお、フランジ部５ａ，５ａの当接側にはホルダ５，５の自由回転を拘束する拘束手段が設けられている。本実施例では、前記の拘束手段としてフランジ部５ａ，５ａの当接面に形成される凹凸溝１４，１４からなるが、これに限定するものではなく例えば、両フランジ部に係合するピンやボールやその他のものでもよく、両者を接着固定するものでもよい。なお、ギヤホルダ保持板３，３とギヤホルダ２との連結は、ギヤホルダ２の円筒部５ｂにギヤホルダ保持板３の先端に形成されている孔（図略）を嵌め込み、ギヤホルダ保持板３，３でギヤホルダ２のフランジ部５ａ，５ａを挟持した状態で行われる。また、マグネット７はリング溝８，８内に嵌り込み、ホルダ５，５の合体により中央部に固定される。
【００１６】
次に、本考案の両頭式ラチェット工具１の作用を説明する。図３に示すように、本考案の両頭式ラチェット工具１はギヤホルダ２の中央にマグネット７を嵌着するものからなるため、図示のようにビッド１３はギヤホルダ２の左右いずれの方向からも挿着されて固持される。よって、ねじ締め又はねじ外しの場合にはビッド１３のみを左右入れ替えるだけでラチェット動作を伴ったねじ締めねじ外しが行われる。よって、一本の両頭式ラチェット工具１でねじ締め及びねじ外し動作を簡単に行うことができ、従来技術のように左右の切り替え機構が全く不要となり、全体として安価に実施することができる。また、長時間使用によってマグネット７の磁力が低下した場合にはギヤホルダ２を分割してマグネット７を新しく入れ替えることにより続行使用ができる。
【００１７】
以上の説明ではねじ締め用の工具としてビッド１３について説明したが、勿論、これに限定するものではない。
【産業上の利用可能性】
【００１８】
本考案、ねじ締め用の工具について説明したが、左右の回転動作をラチェット動作を伴って行う道具のすべてに適用され、その利用範囲は広い。
【図面の簡単な説明】
【００１９】
【図１】本考案のギヤホルダの外観形状を示す平面図。
【図２】図１のＡ−Ａ線断面図（ａ）、Ｂ−Ｂ線断面図（ｂ）。
【図３】本考案の両頭式ラチェット工具の作用を説明するための模式的断面図。
【図４】本考案の両頭式ラチェット工具の全体構造を示す平面図。
【図５】本考案の両頭式ラチェット工具の内部全体構造を説明するための断面図。
【図６】従来のラチェット工具の概要構造とその作用を説明するための模式的断面図。
【符号の説明】
【００２０】
１    両頭式ラチェット工具
２    ギヤホルダ
３    ギヤホルダ保持板
４    ラチェット機構部
５    ホルダ
５ａ  フランジ部
５ｂ  円筒部
６    貫通孔
７    マグネット
８    リング溝
９    刻み爪
１０  クロー
１１  プレート
１２  スプリング
１３  ビッド
１４  凹凸溝
【図１】
0003112542.tif 000003
【図２】
0003112542.tif 000004
【図３】
0003112542.tif 000005
【図４】
0003112542.tif 000006
【図５】
0003112542.tif 000007
【図６】
0003112542.tif 000008